【手続補正書】
【提出日】平成25年10月31日(2013.10.31)
【手続補正１】
【補正対象書類名】明細書
【補正対象項目名】００５５
【補正方法】変更
【補正の内容】
【００５５】
本明細書において、明示的に特記のない限り、または使用の文脈によってそうではないことが示されない限り、本発明の主題の実施形態は、特定の特徴もしくは構成要素「を含む」、「を包含する」、「を含有する」、「を有する」、「で構成される」、「により構成される」、または「よりなる」ものとして指定または記載される場合において、その明示的に指定または記載された特徴もしくは構成要素に加えて１つ以上の特徴もしくは構成要素が、その実施形態中に存在し得る。しかしながら、本発明の主題の代替的実施形態は、特定の特徴もしくは構成要素「から実質的になる」ものとして指定または記載され得、その実施形態において、その実施形態の実施原理または特徴的特性を著しく変更するであろう特徴もしくは構成要素は、その実施形態中には存在しない。本発明の主題のさらなる代替的実施形態は、特定の特徴もしくは構成要素「からなる」ものとして指定または記載され得、その実施形態においては、またはそのわずかな変形（ｉｎｓｕｂｓｔａｎｔｉａｌ  ｖａｒｉａｔｉｏｎｓ）においては、具体的に指定または記載された特徴もしくは構成要素しか存在しない。
本明細書において、明示的に特記のない限り、または使用の文脈によってそうではないことが示されない限り、本明細書において記載される量、大きさ、範囲、配合、パラメータ、および他の数量および特性は、特に用語「約」によって修飾される場合、厳密であり得るが厳密である必要はなく、また、許容差、換算係数、端数処理、測定誤差などを反映して、ならびに、本発明の文脈の範囲内で指定値との機能的かつ／または実施可能な均等性を有する指定値の範囲外の値の、指定値の範囲内への包含を反映して、おおよそでよく、かつ／または、指定されているより（所望されるとおりに）大きくても小さくてもよい。
【手続補正２】
【補正対象書類名】明細書
【補正対象項目名】００５６
【補正方法】変更
【補正の内容】
【００５６】
以上、本発明を要約すると下記の通りである。
１．（ａ）ネペタ（Ｎｅｐｅｔａ）植物材料を水蒸気と接触させて、イヌハッカ油および水を含む揮発混合物を形成する工程と、
（ｂ）揮発混合物を凝縮させて、イヌハッカ油および水を含む第１の液体混合物を形成する工程と、
（ｃ）第１の液体混合物を少なくとも１つの非水混和性有機抽出溶媒と接触させて、溶媒相および水相を含有する第２の液体混合物を形成する工程と、
（ｄ）第２の液体混合物において、溶媒相を水相から分離し、溶媒相を回収する工程と、
（ｅ）抽出溶媒を溶媒相から除去してイヌハッカ油を単離する工程と
を含む、ネペタ（Ｎｅｐｅｔａ）属の植物からイヌハッカ油を回収するための方法。
２．（ａ）ネペタ（Ｎｅｐｅｔａ）植物材料を水蒸気と接触させて、イヌハッカ油および水を含む揮発混合物を形成する工程と、
（ｂ）揮発混合物を凝縮させて、イヌハッカ油および水を含む第１の液体混合物を形成する工程と、
（ｃ）第１の液体混合物において、イヌハッカ油を水から分離し、イヌハッカ油を回収する工程と、
（ｄ）（ｃ）において回収されたイヌハッカ油を少なくとも１つの非水混和性抽出溶媒と接触させて、溶媒相および水相を含有する第２の液体混合物を形成する工程と、
（ｅ）第２の液体混合物において、溶媒相を水相から分離し、溶媒相を回収する工程と、
（ｆ）抽出溶媒を溶媒相から除去してイヌハッカ油を単離する工程と
を含む、ネペタ（Ｎｅｐｅｔａ）属の植物からイヌハッカ油を回収するための方法。
３．イヌハッカ油相が分離されている水相が、少なくとも１つの非水混和性抽出溶媒と接触して、イヌハッカ油および抽出溶媒の相が分離され、抽出溶媒が除去され、そしてイヌハッカ油が回収される、上記１または２に記載の方法。
４．イヌハッカ油の収率が、有機抽出溶媒非存在下での水からのイヌハッカ油の分離から得られるイヌハッカ油の収率よりも少なくとも約５０％高い、上記１または２に記載の方法。
５．水非混和性有機抽出溶媒は、水の密度と少なくとも約０．１ｇ／ｃｃの差で異なる密度を有する、上記１または２に記載の方法。
６．水非混和性有機抽出溶媒が、ヘキサン、石油エーテル、トルエン、キシレン、酢酸エチル、ジクロロメタン（ＤＣＭ）、クロロホルムおよびそれらの混合物からなる群より選択される、上記５に記載の方法。
７．回収されたイヌハッカ油を水素化する工程をさらに含む、上記１または２に記載の方法。
８．水素化されたイヌハッカ油を昆虫忌避組成物に配合する工程をさらに含む、上記７に記載の方法。
９．（ａ）イヌハッカ油および水を含む第１の液体混合物を備える工程と、
（ｂ）第１の液体混合物を少なくとも１つの非水混和性有機抽出溶媒と接触させて、溶媒相および水相を含有する第２の液体混合物を形成する工程と、
（ｃ）第２の液体混合物において、溶媒相を水相から分離し、溶媒相を回収する工程と、
（ｄ）抽出溶媒を溶媒相から除去してイヌハッカ油を単離する工程と
を含む、ネペタ（Ｎｅｐｅｔａ）属の植物からイヌハッカ油を回収するための方法。
１０．（ａ）イヌハッカ油および水を含む第１の液体混合物を備える工程と、
（ｂ）第１の液体混合物において、イヌハッカ油を水から分離し、イヌハッカ油を回収する工程と、
（ｃ）（ｂ）において回収されたイヌハッカ油を少なくとも１つの非水混和性抽出溶媒と接触させて、溶媒相および水相を含有する第２の液体混合物を形成する工程と、
（ｄ）第２の液体混合物において、溶媒相を水相から分離し、溶媒相を回収する工程と、
（ｅ）抽出溶媒を溶媒相から除去し、イヌハッカ油を単離する工程と
を含む、ネペタ（Ｎｅｐｅｔａ）属の植物からイヌハッカ油を回収するための方法。
【手続補正３】
【補正対象書類名】特許請求の範囲
【補正対象項目名】全文
【補正方法】変更
【補正の内容】
【特許請求の範囲】
【請求項１】
（ａ）ネペタ（Ｎｅｐｅｔａ）植物材料を水蒸気と接触させて、イヌハッカ油および水を含む揮発混合物を形成する工程と、
（ｂ）揮発混合物を凝縮させて、イヌハッカ油および水を含む第１の液体混合物を形成する工程と、
（ｃ）第１の液体混合物を少なくとも１つの非水混和性有機抽出溶媒と接触させて、溶媒相および水相を含有する第２の液体混合物を形成する工程と、
（ｄ）第２の液体混合物において、溶媒相を水相から分離し、溶媒相を回収する工程と、
（ｅ）抽出溶媒を溶媒相から除去してイヌハッカ油を単離する工程と
を含む、ネペタ（Ｎｅｐｅｔａ）属の植物からイヌハッカ油を回収するための方法。
【請求項２】
（ａ）ネペタ（Ｎｅｐｅｔａ）植物材料を水蒸気と接触させて、イヌハッカ油および水を含む揮発混合物を形成する工程と、
（ｂ）揮発混合物を凝縮させて、イヌハッカ油および水を含む第１の液体混合物を形成する工程と、
（ｃ）第１の液体混合物において、イヌハッカ油を水から分離し、イヌハッカ油を回収する工程と、
（ｄ）（ｃ）において回収されたイヌハッカ油を少なくとも１つの非水混和性抽出溶媒と接触させて、溶媒相および水相を含有する第２の液体混合物を形成する工程と、
（ｅ）第２の液体混合物において、溶媒相を水相から分離し、溶媒相を回収する工程と、
（ｆ）抽出溶媒を溶媒相から除去してイヌハッカ油を単離する工程と
を含む、ネペタ（Ｎｅｐｅｔａ）属の植物からイヌハッカ油を回収するための方法。
【請求項３】
（ａ）イヌハッカ油および水を含む第１の液体混合物を備える工程と、
（ｂ）第１の液体混合物を少なくとも１つの非水混和性有機抽出溶媒と接触させて、溶媒相および水相を含有する第２の液体混合物を形成する工程と、
（ｃ）第２の液体混合物において、溶媒相を水相から分離し、溶媒相を回収する工程と、
（ｄ）抽出溶媒を溶媒相から除去してイヌハッカ油を単離する工程と
を含む、ネペタ（Ｎｅｐｅｔａ）属の植物からイヌハッカ油を回収するための方法。
【請求項４】
（ａ）イヌハッカ油および水を含む第１の液体混合物を備える工程と、
（ｂ）第１の液体混合物において、イヌハッカ油を水から分離し、イヌハッカ油を回収する工程と、
（ｃ）（ｂ）において回収されたイヌハッカ油を少なくとも１つの非水混和性抽出溶媒と接触させて、溶媒相および水相を含有する第２の液体混合物を形成する工程と、
（ｄ）第２の液体混合物において、溶媒相を水相から分離し、溶媒相を回収する工程と、
（ｅ）抽出溶媒を溶媒相から除去し、イヌハッカ油を単離する工程と
を含む、ネペタ（Ｎｅｐｅｔａ）属の植物からイヌハッカ油を回収するための方法。